(57)【要約】【課題】多項目による複雑な設定をせずにデータの収録を行う。【解決手段】表示画面に初期画面５Ａが表示されている状態で決定キーが押下されると、収録時間設定画面が表示され、現在の収録時間が表示される。この収録時間設定画面が表示されている状態でさらに決定キーが押下されると、即収録モードに移行し、選択された設定内容に基づいて端子部からの多数チャンネルのデータを収録する。収録時間設定画面が表示されている状態から機能キーが押下されると、予約収録設定画面が表示される。この状態で収録開始時間と収録終了時間を設定して決定キーが押下されると、予約収録モードに移行し、選択された設定内容に基づいて端子部からの多数チャンネルのデータを設定された収録開始終了時間で予約収録する。【選択図】図３
2004191319.tif 000002
【特許請求の範囲】
【請求項１】
外部信号を複数のチャンネルの端子部から取り込んで多数チャンネルのデータとして収録する携帯型データ収録装置において、
選択されたチャンネルの収録データの表示と、予約開始時間あるいは予約終了時間あるいは予約開始終了時間を設定するための画面を含む表示を行う表示手段と、
前記端子部から取り込まれる多数チャンネルのデータを記憶し、予め各設定項目毎に既定値が設定された既定値設定内容を記憶するとともに、各設定項目毎の設定内容を複数の異なる設定番号として記憶する記憶手段と、
即座にデータ収録を行う即収録モードと、予約開始時間あるいは予約終了時間あるいは予約開始終了時間を設定してデータ収録を行う予約収録モードの何れかに切り替え選択するための操作信号をキー操作により出力する設定入力手段と、
前記設定入力手段により即収録モードが選択された旨の操作信号が入力されたときに、選択された設定内容に基づいて即収録するように前記端子部からの多数チャンネルのデータを収録して前記記憶手段に記憶させ、前記設定入力手段により予約収録モードが選択された旨の操作信号が入力されたときには、選択された設定内容に基づいて前記端子部からの多数チャンネルのデータを設定された予約開始時間あるいは予約終了時間あるいは予約開始終了時間で予約収録して前記記憶手段に記憶させる制御手段とを備えたことを特徴とする携帯型データ収録装置。
【請求項２】
前記設定入力手段は、前記即収録モード及び前記予約収録モードに加えて前記既定値設定内容を変更する既定値設定モードの何れかに切り替え選択するための操作信号を出力し、
前記制御手段は、前記既定値設定モードが選択されたときに、前記設定入力手段のキー操作に基づいて前記既定値設定内容を各設定項目毎に設定し、該設定された既定値設定内容を前記記憶手段に記憶させる請求項１記載の携帯型データ収録装置。
【請求項３】
前記制御手段は、前記既定値設定モード時に、前記各設定項目毎の既定値設定画面で設定変更された設定内容を、前記複数の設定番号の中で収録データの残っていない全ての設定番号の設定内容に反映して前記記憶手段に記憶させる請求項２記載の携帯型データ収録装置。
【発明の詳細な説明】
【０００１】
【発明の属する技術分野】
本発明は、例えば熱電対からの温度信号（外部信号）を複数チャンネルの端子部から取り込んで多数チャンネルの温度データとして収録でき、手軽に持ち運びが可能な携帯型データ収録装置に関する。
【０００２】
【従来の技術】
データ収録装置は、例えば熱電対や測温抵抗体等の温度計測センサからの温度信号を複数チャンネルの端子部から取り込んで多数チャンネルの温度データとして収録し、この収録した多数チャンネルの温度データを解析処理、管理するためにパソコン等の端末に送信する装置として知られている。
【０００３】
この種のデータ収録装置では、実際に温度計測センサからの温度信号を収録するに際して、例えば設定内容の保存先番号の設定、使用する温度計測センサの種類（例えば熱電対の場合は、Ｋ熱電対、Ｅ熱電対、Ｊ熱電対、Ｔ熱電対）の設定、データの取り込み時間間隔である収録インターバルの設定、警報を出力する上下限警報値の設定など各種設定が行なわれる。従来、この各種設定は、ユーザのキー操作により実際に設定画面を見ながら各設定項目毎に行なっていた。
【０００４】
【発明が解決しようとする課題】
ところで、この種のデータ収録装置を手軽に持ち運べるように本体を略手のひらサイズにし、例えば６チャンネル以内の少点数の携帯型データ収録装置を構成した場合には、現場にて携帯して使用されることもあるため、機能面の充実だけでなく機動性も要求される。
【０００５】
ところが、従来のデータ収録装置では、各種設定項目毎に画面を見ながら設定を行う必要があり、収録前の設定項目も多く、複雑な設定を要して設定に手間と時間がかかり、実際のデータ収録を始めるまでに設定のためのタイムラグが生じるという問題があった。
【０００６】
そこで、本発明は、上記問題点に鑑みてなされたものであり、多項目による複雑な設定をせずにデータの収録を行うことができる携帯型データ収録装置を提供することを第一の目的とし、さらに設定を行う場合でも既定設定内容を生かしてデータの収録を行うことができる携帯型データ収録装置を提供することを目的としている。
【０００７】
【課題を解決するための手段】
上記目的を達成するため、請求項１の発明は、外部信号を複数のチャンネルの端子部から取り込んで多数チャンネルのデータとして収録する携帯型データ収録装置において、
選択されたチャンネルの収録データの表示と、予約開始時間あるいは予約終了時間あるいは予約開始終了時間を設定するための画面を含む表示を行う表示手段と、
前記端子部から取り込まれる多数チャンネルのデータを記憶し、予め各設定項目毎に既定値が設定された既定値設定内容を記憶するとともに、各設定項目毎の設定内容を複数の異なる設定番号として記憶する記憶手段と、
即座にデータ収録を行う即収録モードと、予約開始時間あるいは予約終了時間あるいは予約開始終了時間を設定してデータ収録を行う予約収録モードの何れかに切り替え選択するための操作信号をキー操作により出力する設定入力手段と、
前記設定入力手段により即収録モードが選択された旨の操作信号が入力されたときに、選択された設定内容に基づいて即収録するように前記端子部からの多数チャンネルのデータを収録して前記記憶手段に記憶させ、前記設定入力手段により予約収録モードが選択された旨の操作信号が入力されたときには、選択された設定内容に基づいて前記端子部からの多数チャンネルのデータを設定された予約開始時間あるいは予約終了時間あるいは予約開始終了時間で予約収録して前記記憶手段に記憶させる制御手段とを備えたことを特徴とする。
【０００８】
請求項２の発明は、請求項１の携帯型データ収録装置において、
前記設定入力手段は、前記即収録モード及び前記予約収録モードに加えて前記既定値設定内容を変更する既定値設定モードの何れかに切り替え選択するための操作信号を出力し、
前記制御手段は、前記既定値設定モードが選択されたときに、前記設定入力手段のキー操作に基づいて前記既定値設定内容を各設定項目毎に設定し、該設定された既定値設定内容を前記記憶手段に記憶させることを特徴とする。
【０００９】
請求項３の発明は、請求項２の携帯型データ収録装置において、
前記制御手段は、前記既定値設定モード時に、前記各設定項目毎の既定値設定画面で設定変更された設定内容を、前記複数の設定番号の中で収録データの残っていない全ての設定番号の設定内容に反映して前記記憶手段に記憶させることを特徴とする。
【００１０】
【発明の実施の形態】
以下、本発明の実施の形態を図面を参照しながら具体的に説明する。図１は本発明に係る携帯型データ収録装置の外観を示す図、図２は同携帯型データ収録装置における設定と表示に関わる概略構成を示すブロック図、図３は同携帯型データ収録装置の設定時における表示画面の移行状態を示すフローチャート、図４は本発明に係る携帯型データ収録装置の設定時における表示画面の表示例を示す図であって、図４（ａ）は初期画面の表示例を示す図、図４（ｂ）は収録時間設定画面の表示例を示す図、図４（ｃ）は予約収録設定画面の表示例を示す図である。
【００１１】
図１に示すように、本発明に係る携帯型データ収録装置１は、略手のひらサイズの矩形状の本体２の上面部２ａに設けられる複数チャンネル（図１の例では４チャンネル）の端子部３に不図示の温度計測センサ（例えば熱電対）をコネクタ接続し、各温度計測センサからの温度信号を取り込んで多数チャンネルの温度データとして収録し、この収録した温度データを外部のパソコン等の上位の端末からなるデータ処理装置に出力するものである。そして、データ処理装置では、携帯型データ収録装置１から入力される複数チャンネルの温度データを解析処理、管理している。
【００１２】
本例の携帯型データ収録装置１は、温度計測センサとして熱電対を使用する場合、Ｋ熱電対、Ｅ熱電対、Ｊ熱電対、Ｔ熱電対のマルチ対応となっている。また、測定範囲は、例えばＫ熱電対が−２００℃〜１３７０℃、Ｅ熱電対及びＪ熱電対が−２００℃〜７００℃、Ｔ熱電対が−２００℃〜４００℃となっている。
【００１３】
なお、携帯型データ収録装置１の複数チャンネルの端子部３に入力される信号としては、熱電対からの温度信号に限らず、他の温度計測センサ（例えば測温抵抗体）や直流電圧等の信号であっても良い。
【００１４】
図１に示すように、携帯型データ収録装置１の本体２の前面パネル４には、表示器（表示手段）５と複数のキー（設定入力手段）６が配設されている。本例では、十分な表示領域を確保するため、前面パネル４の上半部に表示器５が配設され、前面パネル４の下半部に複数のキー６が配置されている。図１の例では、３列×６行の１８個のキー６が設けられる。この１８個のキー６は、電源キー６ａ、テンキー６ｂ、上下左右キー６ｃ、決定キー６ｄ、戻るキー６ｅ、機能キー６ｆで構成される。なお、キー６の一部は、例えば記号、カタカナ、ローマ字入力、文字サイズの変更、収録中止などの他の機能も兼ねている。
【００１５】
上記携帯型データ収録装置１の電気的構成は、図２に示すように、設定入力手段（複数のキー）６、記憶手段７、制御手段８、表示手段（表示器）５から概略構成される。
【００１６】
設定入力手段６は、前述したように本体２の前面パネル４に設けられる複数のキー６（６ａ〜６ｆ）で構成され、押下されたキー６に対応するキースイッチの操作信号が制御手段８に入力される。
【００１７】
記憶手段７は、例えばＲＯＭやＲＡＭを備えて構成される。この記憶手段７には、データ収録に関する各種処理プログラムが格納される。また、データ収録に関する各設定項目毎の既定値が予め工場出荷時に設定された既定値設定内容や各チャンネル毎の収録データや演算後の処理データが格納される。さらに、記憶手段７には、ユーザのキー６の操作により選択可能な各設定項目毎の設定内容が複数個の設定番号（例えばＬＯＧ０１〜ＬＯＧ２０の２０個）の設定内容として格納される。この設定番号の設定内容は、ユーザのキー６の操作により選択が可能となっている。そして、選択された設定番号の設定内容に基づいてデータ収録を行った際には、収録データが設定番号に対応した名前で記憶手段７に保存される。
【００１８】
制御手段８は、例えばＣＰＵなどのマイクロプロセッサで構成され、記憶手段７のＲＯＭに格納された処理プログラムに従ってデータ収録に関する各種制御を実行している。具体的に、制御手段８は、温度計測センサからの各チャンネル毎の温度データを取り込んで記憶手段７に格納している。また、制御手段８は、設定入力手段（キー）６からの操作信号を判別し、この判別結果に応じて後述する表示手段（表示器）５の表示切替制御、後述する既定値設定モードまたは通常設定モードによる設定制御、即収録モードまたは予約収録モードによるデータ収録制御を行っている。さらに、制御手段８は、記憶手段７に予め記憶された既定値設定内容が変更されたときに、その設定内容を収録データが残っていない全ての設定番号に反映させて記憶手段７に保存する制御を行っている。例えば設定番号ＬＯＧ０１に収録データが残っている場合には、設定番号ＬＯＧ０１を除くＬＯＧ０２〜ＬＯＧ２０の設定内容に変更された既定値設定内容が反映される。
【００１９】
表示手段５は、ドットマトリクス方式の表示器（例えば液晶表示器）で構成され、制御手段８によって表示内容の制御が行われる。具体的に、表示手段５は、温度計測センサから取り込んだ各チャンネル毎の温度データの収録画面表示、図４（ａ）に示す初期画面表示、図４（ｂ）に示す収録時間設定画面表示、図４（ｃ）に示す予約収録設定画面表示などを行っている。
【００２０】
次に、上記構成による携帯型データ収録装置１の動作として、ユーザのキー操作時の操作信号に応じて制御手段８が実行するデータ収録前の各設定処理動作について図３及び図４を参照しながら説明する。
【００２１】
まず、即収録時の設定処理動作について説明する。通常は、図４（ａ）に示すような初期画面（ＨＯＭＥ画面）５Ａが表示器５に表示されている。図４（ａ）の例では、現在選択されているチャンネル（２チャンネル目）の温度データと現在の年月日時間が表示画面５ａに表示される。この初期画面５Ａが表示されている状態で設定入力手段６の決定キー６ｄを押すと、例えば図４（ｂ）に示すような収録時間設定画面（既定収録時間３０ｍｉｎ、既定収録インターバル１ｍｉｎの確認あるいは時間設定画面）５Ｂに切り替わる。
【００２２】
この収録時間設定画面５Ｂでは、現在設定されている収録時間が表示画面５ａの中央に表示される。また、表示画面５ａの上部には、設定内容の保存先番号（図４（ａ）の例では、保存先番号が２番であることを示している）と、現在の表示項目が収録時間であることを示す「シュウロクジカン」の文字表示がなされる。また、表示画面５ａの下部には、現在の年月日時間が表示される。この収録時間設定画面５Ｂが表示されている状態で更に決定キー６ｄを押すと、即収録モードが選択され、収録画面に切り替わり、即収録状態に移行する。この即収録モードでは、選択された設定内容（既定値設定内容または複数の設定番号の何れかの設定内容）に基づいて端子部３から各チャンネル毎の温度信号が取り込まれ、各チャンネル毎の温度データとして記憶手段７に保存される。そして、データ収録が終了すると、初期画面５Ａに戻る。なお、収録時間設定画面５Ｂの状態で戻るキー６ｅが押されると、初期画面５Ａに戻る。
【００２３】
次に、予約収録時の設定処理動作について説明する。なお、この予約収録では、予約開始時間あるいは予約終了時間あるいは予約開始終了時間の設定が可能であるが、予約開始終了時間を設定する場合を例にとって説明する。予約収録時には、図４（ａ）に示す初期画面（ＨＯＭＥ画面）５Ａが表示されている状態で決定キー６ｄを押すと、図４（ｂ）に示す収録時間設定画面５Ｂに切り替わる。この収録時間設定画面５Ｂが表示されている状態で機能キー６ｆを押すと、予約収録モードに選択的に切り替えられ、図４（ｃ）に示すような予約時間設定画面（収録開始、終了時刻の設定画面）５Ｃに切り替わる。この予約時間設定画面５Ｃでは、表示画面５ａ上のカーソルを移動させ、キー６（例えばテンキー６ｂや上下左右キー６ｃ）の操作により予約開始時間と予約終了時間を設定する。
【００２４】
図４（ｃ）は、予約開始時間Ｓを’０２／０１／２３  １３：００に設定し、予約終了時間Ｅを’０２／０１／２４  １３：００に設定した状態を示している。なお、表示画面５ａの上部には、設定内容の保存先番号（図４（ａ）の例では、保存先番号が２番であることを示している）と、現在の表示項目が予約設定であることを示す「ヨヤクセッテイ」の文字表示がなされる。また、表示画面５ａの下部には、現在の年月日時間が表示される。
【００２５】
上記のようにして予約開始時間と予約終了時間が設定された後、決定キー６ｄが押されると、予約スタンバイ画面に切り替わる。そして、予約開始時間になると、収録画面に切り替わり、予約収録状態に移行する。この予約収録モードでは、予約開始時間になると、選択された設定内容（既定値設定内容または複数の設定番号の何れかの設定内容）に基づいて端子部３から各チャンネル毎の温度信号が取り込まれ、各チャンネル毎の温度データとして記憶手段７に保存される。そして、予約終了時間になると、データ収録が終了し、初期画面５Ａに戻る。
【００２６】
なお、予約収録設定画面５Ｃの状態で戻るキー６ｅが押されると、初期画面５Ａに戻る。また、上記予約収録において、時刻設定の後、現在時刻が未到達の場合は待機状態になる。また、予約設定において、開始時刻を設定しない場合（例：月の設定が００）には、キー６（決定キー６ｄ）を操作した時点で即収録になる。さらに、終了時刻を設定しない場合（例：月の設定が００）には連続収録となり、キー６（収録中止を兼ねた戻るキー６ｅ）の操作にて確認画面を介して収録途中で終了することができる。
【００２７】
次に、既定値設定時の処理動作について説明する。この既定値設定では、初期画面５Ａが表示されている状態で機能キー６ｆが押されると、メニュー画面に切り替わる。このメニュー画面が表示されている状態で、メニュー画面上の既定値設定の項目がカーソルキーの移動により選択され、決定キー６ｄが押されると、既定値設定モードに選択的に切り替えられ、既定設定画面１（入力種）に切り替わる。この既定設定画面は、決定キー６ｄが押される毎に次の既定設定画面に切り替わる。
【００２８】
図３の例では、既定設定画面１（入力種）において、使用する温度計測センサの種類をキー６の操作により設定変更できる。既定設定画面２（収録インターバル）では、データの取り込み時間間隔となる収録インターバルをキー６の操作により設定変更できる。既定設定画面３（警報）では、警報を出力する上下限警報値をキー６の操作により設定変更できる。
【００２９】
上記のようにして最後の既定設定画面が表示されている状態で決定キー６ｄが押されると、設定番号（ＬＯＧ０１〜２０）の中でデータ収録が残っていない全ての設定番号の設定内容に上記既定値設定モードで設定された既定値設定内容が反映された状態で記憶手段７に保存される。なお、メニュー画面以降の表示がなされている状態で戻るキー６ｅが押されると、一つ前の画面に切り替わる。
【００３０】
次に、各設定項目毎の通常設定処理動作について説明する。この各設定項目毎の通常設定では、上述した既定値設定により既に既定値が反映されて設定されている設定番号の設定内容も含む。この各設定項目毎の設定では、初期画面５Ａが表示されている状態で機能キー６ｆが押されると、メニュー画面に切り替わる。このメニュー画面が表示されている状態で、メニュー画面上の通常設定の項目がカーソルキーの移動により選択され、決定キー６ｆが押されると、通常設定モードが選択され、ＬＯＧ  Ｎｏ．選択画面に切り替わる。このＬＯＧ  Ｎｏ．選択画面が表示されている状態では、キー６の操作により設定内容の保存先となる設定番号を設定することができる。
【００３１】
次に、ＬＯＧ  Ｎｏ．選択画面が表示されている状態で決定キー６ｄが押されると、設定画面１（入力種）に切り替わる。この設定画面は決定キー６ｄが押される毎に次の設定画面に切り替わる。
【００３２】
図３の例では、設定画面１（入力種）において、使用する温度計測センサの種類をキー６の操作により設定変更できる。設定画面２（収録インターバル）では、データの取り込み時間間隔となる収録インターバルをキー６の操作により設定変更できる。設定画面３（警報）では、警報を出力するアラーム値をキー６の操作により設定変更できる。
【００３３】
上記のようにして最後の設定画面が表示されている状態で決定キー６ｄが押されると、ＬＯＧ  Ｎｏ．選択画面で選択された保存先の設定番号に設定値が記憶手段７に保存される。なお、メニュー画面以降の表示がなされている状態で戻るキー６ｅが押されると、一つ前の画面に切り替わる。
【００３４】
このように、本例の携帯型データ収録装置１は、少ないチャンネル数（例えば６チャンネル以内）の各チャンネル毎のデータを収録するにあたって、簡易な操作で即収録あるいは予約設定を行うことができる。
【００３５】
また、詳細設定を実施した複数の設定値（測定条件）から所望する設定値の設定番号を選択し、その設定番号の設定内容により手動収録あるいは予約収録を行うことができる。
【００３６】
さらに、予め記憶された既定値設定の内容を各設定項目毎に設定変更することができる。そして、この既定値設定の設定内容は、設定番号の中で収録データが残っていない全ての設定番号の設定内容（測定条件）に反映して保存されるので、同じ条件で複数個測定したり、保存したい場合に有効であり、設定作業が楽になり設定操作の簡略化を図ることができる。
【００３７】
ところで、上述した実施の形態では、予約収録モードを備えたため、収録時間を目視で確認できるように、初期画面からキー操作（決定キーの押下）により収録時間設定画面を表示した後、さらにキー操作（決定キーの押下）により即収録モードに移行するものとして説明したが、初期画面から一回のキー操作（決定キーの押下）により即収録モードに移行する構成としても良い。
【００３８】
【発明の効果】
以上の説明で明らかなように、本発明によれば、少ないチャンネル数（例えば６チャンネル以内）の各チャンネル毎のデータを収録するにあたって、簡易な操作で即収録あるいは予約設定を行うことができる。
【００３９】
また、詳細設定を実施した複数の設定値から所望する設定値の設定番号を選択し、その設定番号の設定内容により手動収録あるいは予約収録を行うことができる。
【００４０】
さらに、予め記憶された既定値設定の内容を各設定項目毎に設定変更することができる。そして、この設定変更された既定値設定内容は、設定番号の中で収録データが残っていない全ての設定番号の設定内容に反映して保存されるので、同じ条件で複数個測定したり、保存したい場合に有効であり、設定作業が楽になり設定操作の簡略化を図ることができる。
【図面の簡単な説明】
【図１】本発明に係る携帯型データ収録装置の外観を示す図である。
【図２】本発明に係る携帯型データ収録装置における設定と表示に関わる概略構成を示すブロック図である。
【図３】本発明に係る携帯型データ収録装置の設定時における表示画面の移行状態を示すフローチャートである。
【図４】（ａ）本発明に係る携帯型データ収録装置の初期画面の表示例を示す図である。
（ｂ）収録時間設定画面の表示例を示す図である。
（ｃ）予約収録設定画面の表示例を示す図である。
【符号の説明】
１…携帯型データ収録装置、５…表示器（表示手段）、６…キー（設定入力手段）、７…記憶手段、８…制御手段。
【図１】
2004191319.tif 000003
【図２】
2004191319.tif 000004
【図３】
2004191319.tif 000005
【図４】
2004191319.tif 000006